(57)【要約】【課題】ハンドフリーでの操作が可能であり、使用性も良好なスタンド付き噴霧器を提供すること。【解決手段】本発明のスタンド付き噴霧器１は、エアブラシ１３と、このエアブラシ１３とエア搬送用チューブ１２を介して連結され、エア（空気）を供給可能な電動ポンプ１１と、台座１４１と、この台座１４１から上方に伸びる棒状の支持部１４２と、支持部１４２の先端に配設され、エアブラシ１３を着脱可能に装着するエアブラシ装着部１５を備えたスタンド１４を基本構成として含み、エアブラシ１３をエアブラシ装着部１５から取り外した状態での使用はもちろんのこと、エアブラシ１３をエアブラシ装着部１５に装着した状態で使用すれば、化粧水等の各種液体を顔等の人体の任意の部位に対してハンドフリーで噴霧することができ、使用性が良好なスタンド付き噴霧器１となる。【選択図】図１
2010115590.tif 000002
【特許請求の範囲】
【請求項１】
ガス状の液体を大気中に噴霧可能な噴霧器であって、
噴出孔を有するエアブラシ本体と、当該エアブラシ本体に噴霧対象の液体を供給する液体タンクと、を備えるエアブラシと、
前記エアブラシと中空状のエア搬送用チューブを介して連結され、前記エアブラシにエアを供給可能な電動ポンプと、
台座と、当該台座から上方に伸びる棒状の支持部と、当該支持部の先端に配設され、前記エアブラシを着脱可能に装着するエアブラシ装着部を備えたスタンドと、
を含むことを特徴とするスタンド付き噴霧器。
【請求項２】
前記エアブラシが、前記エアブラシ本体に配設された操作ボタンを押圧することにより前記噴出孔からガス状の液体が噴出され、
前記エアブラシ装着部が、前記エアブラシの装着により前記操作ボタンを押圧した状態とすることを特徴とする請求項１に記載のスタンド付き噴霧器。
【請求項３】
前記エアブラシ装着部が筒状の部材であり、
前記エアブラシ装着部の内部に、前記エアブラシが装着された場合に前記操作ボタンが存在する位置に対応して、前記操作ボタンを押圧するための突起が配設されていることを特徴とする請求項２に記載のスタンド付き噴霧器。
【請求項４】
前記支持部が屈曲性があることを特徴とする請求項１ないし請求項３のいずれかに記載のスタンド付き噴霧器。
【発明の詳細な説明】
【技術分野】
【０００１】
本発明は、スタンド付き噴霧器に関する。さらに詳しくは、化粧水、香水等の液体をガス状にして人体の顔等に噴霧可能なスタンド付き噴霧器に関する。
【背景技術】
【０００２】
化粧水等の液体をガス状に噴霧するための噴霧器としては、液体を吸引して吐出するポンプ、及びこのポンプからの送液を霧状に吐出するノズルを有してなる噴霧器本体と、このポンプによって吸い出される、液体を収容するタンクとが一体とされた構成のものが知られている（例えば、特許文献１及び特許文献２を参照。）。そして、かかる構成の噴霧器は、ノズルの上端部を押し下げることで化粧水等の液体を噴霧可能とする。
【０００３】
【特許文献１】特開平５−１０４０３９号公報
【特許文献２】特開２００１−３８２５３号公報
【発明の開示】
【発明が解決しようとする課題】
【０００４】
しかしながら、従来の噴霧器にあっては、ハンドフリーでの操作が困難であり、使用性としては必ずしも十分なものとは言えなかった。また、液体の噴霧を続けるためにはノズルを断続的に押し下げ続ける必要がある等の問題があった。
【０００５】
本発明の目的は、前記の課題に鑑みてなされたものであり、ハンドフリーでの操作が可能であり、使用性も良好なスタンド付き噴霧器を提供することにある。
【課題を解決するための手段】
【０００６】
前記の課題を解決するために、本発明の請求項１に係るスタンド付き噴霧器は、ガス状の液体を大気中に噴霧可能な噴霧器であって、噴出孔を有するエアブラシ本体と、当該エアブラシ本体に噴霧対象の液体を供給する液体タンクと、を備えるエアブラシと、前記エアブラシと中空状のエア搬送用チューブを介して連結され、前記エアブラシにエアを供給可能な電動ポンプと、台座と、当該台座から上方に伸びる棒状の支持部と、当該支持部の先端に配設され、前記エアブラシを着脱可能に装着するエアブラシ装着部を備えたスタンドと、を含むことを特徴とする。
【０００７】
本発明の請求項２に係るスタンド付き噴霧器は、前記請求項１において、前記エアブラシが、前記エアブラシ本体に配設された操作ボタンを押圧することにより前記噴出孔からガス状の液体が噴出され、前記エアブラシ装着部が、前記エアブラシの装着により前記操作ボタンを押圧した状態とすることを特徴とする。
【０００８】
本発明の請求項３に係るスタンド付き噴霧器は、前記請求項２において、前記エアブラシ装着部が筒状の部材であり、前記エアブラシ装着部の内部に、前記エアブラシが装着された場合に前記操作ボタンが存在する位置に対応して、前記操作ボタンを押圧するための突起が配設されていることを特徴とする。
【０００９】
本発明の請求項４に係るスタンド付き噴霧器は、前記請求項１ないし請求項３のいずれかにおいて、前記支持部が屈曲性があることを特徴とする。
【発明の効果】
【００１０】
本発明の請求項１に係るスタンド付き噴霧器は、液体を大気中に噴霧可能とする噴霧器として、エアブラシを着脱可能に装着するエアブラシ装着部を備えたスタンドを基本構成として含み、エアブラシを当該エアブラシ装着部から取り外した状態での使用はもちろんのこと、エアブラシをエアブラシ装着部に装着した状態で使用すれば、化粧水、香水等の各種液体を顔等の人体の任意の部位に対してハンドフリーで噴霧することができ、使用性が良好なスタンド付き噴霧器となる。
【００１１】
本発明の請求項２に係るスタンド付き噴霧器は、エアブラシ装着部にエアブラシが装着された場合に、エアブラシ（エアブラシ本体）の操作ボタンを押圧した状態とすることができるので、液体をハンドフリーで噴霧する状態を効率よく具現化することができる。
【００１２】
本発明の請求項３に係るスタンド付き噴霧器は、筒状部材であるエアブラシ装着部の内部に配設される突起が、エアブラシ（エアブラシ本体）の操作ボタンを押圧する構成であるので、エアブラシ装着部にエアブラシを装着した場合に、エアブラシの操作ボタンを押圧した状態となり、液体をハンドフリーで噴霧する状態を確実に具現化し、使用性がより一段と優れるスタンド付き噴霧器となる。
【００１３】
本発明の請求項４に係るスタンド付き噴霧器は、当該噴霧器のスタンドを構成する支持部が屈曲性があるので、フレキシブルに折り曲げ可能となり、スタンドに装着されるエアブラシの向きや高さ等を自由に調整することができ、使用性がより一層優れたスタンド付き噴霧器となる。
【発明を実施するための最良の形態】
【００１４】
以下、本発明の実施形態の例を図面に基づいて説明する。
【００１５】
（Ｉ）本発明のスタンド付き噴霧器１の構成：
図１ないし図１０を用いて、本発明のスタンド付き噴霧器の一態様の構成を説明する。図１は本発明のスタンド付き噴霧器（エアブラシをエアブラシ装着部に装着した状態）の一態様を示した斜視図、図２は本発明のスタンド付き噴霧器（エアブラシをエアブラシ装着部から取り外した状態）の一態様を示した斜視図、をそれぞれ示す。ここで、１はスタンド付き噴霧器、１１は電動ポンプ、１２はエア搬送用チューブ、１３はエアブラシ、１４はスタンド、１５はエアブラシ装着部、をそれぞれ示す。
【００１６】
図１及び図２に示すように、本実施形態のスタンド付き噴霧器１は、噴出孔１３２を有するエアブラシ本体１３１と、このエアブラシ本体１３１に噴霧対象の液体を供給する液体タンク１３３と、を備えるエアブラシ１３と、エアブラシ１３と中空状のエア搬送用チューブ１２を介して連結され、エアブラシ１３にガスを供給可能な電動ポンプ１１と、台座１４１と、台座１４１から上方に伸びる棒状の支持部１４２と、当該支持部１４２の先端に配設され、エアブラシ１３を着脱可能に装着するエアブラシ装着部１５を備えたスタンド１４と、を基本構成として含み、ガス状の液体を大気中に噴霧可能とする。なお、本発明のスタンド付き噴霧器１は、顔等の人体の部位等に、化粧水、香水等の各種液体を噴霧するのに適する。
【００１７】
［電動ポンプ１１の構成］
図３は、本実施形態に係るスタンド付き噴霧器１を構成する電動ポンプ１１を示した斜視図である。図３に示すように、電動ポンプ１１は、その内部に図示しないポンプ本体（コンプレッサー）が、合成樹脂製の筐体である外装ケース１１１に内蔵されている。電動ポンプ１１は、外装ケース１１１の上面に配設される操作部１１２にあるスイッチ１１３を押圧することにより、電源のオン／オフ（ＯＮ／ＯＦＦ）が切り換えられ、電源がオン（ＯＮ）の時は操作部１１２の表示ランプ１１４が点灯し、エア搬送用チューブ１２（図１及び図２を参照）を介して連結されるエアブラシ１３にエア（空気）が供給されることになる。一方、再度スイッチ１１３を押圧すると、電源がオフ（ＯＦＦ）となり、エア（空気）の供給が止まり、表示ランプ１１４が消灯する。
【００１８】
図４は、本実施形態に係るスタンド付き噴霧器１を構成する電動ポンプ１１を示した左側面図である。図３及び図４に示すように、電動ポンプ１１の左側面には、エア搬送用チューブ１２と連結するための接続部１１５が形成されている。電動ポンプ１１の接続部１１５は、図１及び図２に示すエア搬送用チューブ１２の一端に形成された接続部１２１と連結され、エア搬送用チューブ１２の他端に形成された接続部１２２と、エアブラシ本体１３１の接続部１３７（後記する図６を参照。）を連結することにより、電動ポンプ１１からエアブラシ１３にエア（空気）を供給可能とする。
【００１９】
また、図５は、本実施形態に係るスタンド付き噴霧器１を構成する電動ポンプ１１を示した右側面図である。図５に示すように、電動ポンプ１１の右側面には、ＡＣアダプター（図示しない）と挿入・接続するためのジャック１１６が形成されている。ジャック１１６には、電源コード（図示しない）の一端に設けられたＡＣアダプターを挿入し、電源コードの他端に設けられた電源プラグ（図示しない）をコンセントに挿入することにより、電動ポンプ１１に電源が供給されることになる。
【００２０】
電動ポンプ１１は、エアブラシ１３（エアブラシ本体１３１）に対してエアを供給するものであるが、エアの供給量は、概ね２０〜１００ｃｃ／秒程度とすればよく、３０〜５０ｃｃ／秒程度とすることが好ましい。また、電動ポンプ１１のサイズは、特に制限はないが、全体をコンパクトにするため、例えば、幅を６０〜８０ｍｍ、奥行きを１１５〜１６５ｍｍ、高さを４５〜７５ｍｍ程度とすることが好ましく、幅を５５〜７５ｍｍ、奥行きを１１５〜１３５ｍｍ、高さを３５〜５５ｍｍ程度とすることが特に好ましい。
【００２１】
図１及び図２において、電動ポンプ１１とエアブラシ１３を空気的に連結し、電動ポンプ１１からエアブラシ１３にエア（空気）を供給可能とするエア搬送用チューブ１２は、エア（空気）が通過可能であればその長さ及び内径は特に制限はないが、例えば、長さは５０〜２００ｃｍ程度とすることができ、７０〜１５０ｃｍ程度とすることが好ましい。また、内径はφ２〜φ８ｍｍ程度とすることができ、φ３〜φ５ｍｍとすることが好ましい。
【００２２】
［エアブラシ１３の構成］
図６は、本実施形態に係るスタンド付き噴霧器１を構成するエアブラシ１３を示した正面図である。図６に示すように、エアブラシ１３（スプレーガンとも呼ばれる。）は、噴出孔１３２を有するエアブラシ本体１３１と、エアブラシ本体１３１に取り付けられ、噴霧対象の液体を供給する液体タンク１３３と、を備える。なお、エアブラシ１３は、本実施形態にあっては、いわゆるシングルアクションのタイプのものを示している。
【００２３】
エアブラシ本体１３１（ハンドピースとも呼ばれる。）は、配設された操作ボタン１３４を押圧することにより、噴出孔１３２からガス状の液体が噴出される一方、押圧状態を開放することにより噴出が停止する。噴出孔１３２の大きさは、特に制限はないが、概ねφ０．２〜φ０．８ｍｍ程度とすることが好ましく、φ０．２〜φ０．４ｍｍ程度とすることが特に好ましい。
【００２４】
エアブラシ本体１３１の後部には、回転することによりガス状の液体の噴出状態を調整する調整部１３５が形成されている。調整部１３５は、例えば、時計回り方向に回転させる（締める）と噴出されるガス状の液体の粒子が細かくなり、反時計回り方向に回転させる（緩める）と噴出されるガス状の液体の粒子が粗くなる。
【００２５】
液体タンク１３３は、本実施形態にあっては、略漏斗形状のものがエアブラシ本体１３１の上部に取り付けられる。液体タンク１３３の容量は、例えば、２〜５０ｃｃ程度とすることができ、１０〜５０ｃｃ程度とすることが好ましい。エアブラシ１３は、液体タンク１３３から送り込まれた液体と、電動ポンプ１１から送り込まれたエア（空気）が、エアブラシ本体１３１の内部で混ざり合って、噴出孔１３２からガス状の液体が噴霧されることになる。
【００２６】
エアブラシ本体１３１の下部に配設されるエアバルブ１３６は、その下部にねじ切りされて形成される接続部１３７と、一端の接続部１２１を電動ポンプ１１の接続部１１５に連結されたエア搬送用チューブ１２の他端の接続部１２２が連結されることにより、電動ポンプ１１からエアブラシ１３にエア（空気）を供給可能とする。
【００２７】
［スタンド１４の構成］
図１及び図２に示すように、本実施形態に係るスタンド付き噴霧器１を構成するスタンド１４は、台座１４１と、かかる台座１４１から上方に伸びる棒状の支持部１４２と、この支持部１４２の先端に配設され、エアブラシ１３を着脱可能に装着するエアブラシ装着部１５と、を備える。
【００２８】
台座１４１は、スタンド１４全体の土台となるものであり、本実施形態にあっては、図１及び図２に示すように、略円形状からなる金属板からなる。また、かかる台座１４１から上方に伸びる棒状の支持部１４２は、図１及び図２では真っ直ぐに伸ばした状態を示しているが、屈曲性があり、使用者の噴霧部位（例えば顔等）の高さに合わせてフレキシブルに折り曲げることができる。スタンド１４を構成する支持部１４２の長さは、台座１４１から、その先端に配設されるエアブラシ装着部１５までの長さとして、例えば、２００〜５００ｍｍ程度とすることが好ましく、３００〜３６０ｍｍとすることが特に好ましい。
【００２９】
図７は、エアブラシ装着部１５をエアブラシの装着方向（図２の矢印方向）から見た図、図８は、エアブラシ装着部１５の内部構造を示した図（突起１５５が配設される位置で切断した断面図。なお、図８における点線は装着されるエアブラシ１３を示す。）、をそれぞれ示す。図７及び図８に示すように、本実施形態にあっては、エアブラシ装着部１５は、筒状の部材からなる装着部本体１５１の一方を開放状態として、その内部にエアブラシ１３を着脱可能に装着し、エアブラシ本体１３１の下部に配設されるエアバルブ１３６を装着できるよう、切り欠き１５２が形成されている。また、装着部本体１５１の他方には底部１５３を形成するとともに、エアブラシ本体１３１の調整部１３５を挿入可能な挿入穴１５４が形成され、エアブラシ装着部１５の内部からエアブラシ本体１３１の調整部１３５を挿入穴１５４に挿入すると、当該調整部１３５はエアブラシ装着部１５の外部に現れることになる。
【００３０】
また、エアブラシ装着部１５の内部には、エアブラシ１３（エアブラシ本体１３１）の操作ボタン１３４を押圧するための突起１５５が配設されている。かかる突起１５５は、エアブラシ装着部１５にエアブラシ１３が装着された場合（図８で点線で示されている）にエアブラシ１３の操作ボタン１３４が存在する位置に対応して配設されており、弾性体であるコイルスプリング１５７を、突起１５５と蓋部１５６で挟み込むようにして構成される。突起１５５は、エアブラシ装着部１５にエアブラシ１３が装着された場合には、エアブラシ１３の操作ボタン１３４に接触するとともに、コイルスプリング１５７が縮まることにより接触した状態を維持してエアブラシ１３の操作ボタン１３４を押圧する。本実施形態にあっては、エアブラシ装着部１５をこのような構成とすることにより、エアブラシ装着部１５にエアブラシ１３（エアブラシ本体１３１）を装着した場合に、エアブラシ１３の操作ボタン１３４を押圧した状態とする。
【００３１】
（II）スタンド付き噴霧器１の使用方法：
図９は、本実施形態のスタンド付き噴霧器１の使用方法の一例を示した図であり、エアブラシ１３をエアブラシ装着部１５に装着した状態で使用する方法を示した概略図である。図９のように、エアブラシ１３をエアブラシ装着部１５に装着した状態にあっては、エアブラシ１３（エアブラシ本体１３１）の噴出孔１３２に対して人体の任意の部位（図９では顔Ｘ）を向けることにより、当該部位に対してハンドフリーでガス状の液体を連続的に噴霧することができる。
【００３２】
エアブラシ１３をエアブラシ装着部１５に装着した状態で使用するには、まず、エアブラシ１３（エアブラシ本体１３１）の調整部１３５をエアブラシ装着部１５の挿入穴１５４に、調整部１３５が外部に現れるように挿入し、エアブラシ１３をエアブラシ装着部１５に装着する。なお、前記したように、エアブラシ装着部１５の内部に配設される突起１５５によってエアブラシ１３（エアブラシ本体１３１）の操作ボタン１３４が押圧されることになり、電動ポンプ１１のスイッチ１１３がオン（ＯＮ）とされることによって、噴霧が開始される状態になる。
【００３３】
このように、エアブラシ装着部１５にエアブラシ１３を装着した状態で、電動ポンプ１１のジャック１１６に、電源コード（図示しない）の一端に設けられたアダプターを挿入し、電源コードの他端に設けられた電源プラグをコンセントに挿入する。次に、液体タンク１３３に噴霧させる所望の液体を所定量入れて、電動ポンプ１１のスイッチ１１３を押して電源をオン（ＯＮ）にすると、エア搬送用チューブ１２を介して連結されるエアブラシ１３（エアブラシ本体１３１）にエア（空気）が供給され、エアブラシ本体１３１の噴出孔１３２からガス状の液体の噴霧が開始される（操作部１１３の表示ランプ１１４が点灯する。）。なお、ガス状の液体の噴霧状態は、エアブラシ１３の調整部１３５で調整可能である（図１０に示す方法も同様。）。そして、所定量が噴霧されたら、電動ポンプ１１のスイッチ１１３を押して電源をオフ（ＯＦＦ）にすることにより、エアの供給が止まり、噴霧が終了する（表示ランプ１１４が消灯する。）。
【００３４】
また、図１０は、本実施形態のスタンド付き噴霧器１の使用方法の他の例を示した図であり、エアブラシ１３をエアブラシ装着部１５から外し、手Ｙに持った状態で使用する方法を示した概略図である。図１０にあっては、エアブラシ１３を手Ｙに持って、エアブラシ本体１３１の噴出孔１３２を、液体を噴霧したい人体の任意の部位（図１０では顔Ｘ）に対して向けることにより、当該部位に対して液体を連続的あるいは間欠的に噴霧することができる。
【００３５】
エアブラシ１３をエアブラシ装着部１５から外した状態で使用するには、電動ポンプ１１のジャック１１６に、電源コード（図示しない）の一端に設けられたアダプターを挿入し、電源コードの他端に設けられた電源プラグをコンセントに挿入する。次に、液体タンク１３３に噴霧させる所望の液体を所定量入れ、電動ポンプ１１のスイッチ１１３を押して電源をオン（ＯＮ）にすると、操作部１１３の表示ランプ１１４が点灯し、エア搬送用チューブ１２を介して連結されるエアブラシ１３（エアブラシ本体１３１）にエア（空気）が供給される。この状態で、図１０に示すように、エアブラシ１３を手Ｙに持ち、顔Ｘ等の噴霧したい部分にエアブラシ本体１３１の噴出孔１３２を向け、操作ボタン１３４を押圧すると、噴出孔１３２から噴霧が開始される。そして、所定量が噴霧されたら、電動ポンプ１１のスイッチ１１３を押して電源をオフ（ＯＦＦ）にすることにより、エアの供給が止まり、噴霧が終了する（表示ランプ１１４が消灯する。）。
【００３６】
（III）本発明の効果：
以上説明した本実施形態に係るスタンド付き噴霧器１は、エアブラシ装着部１５を備えたスタンド１４を基本構成として含み、エアブラシ１３が当該エアブラシ装着部１５に着脱可能であるので、エアブラシ１３を当該エアブラシ装着部１５から取り外した状態での使用はもちろんのこと、エアブラシ１３をエアブラシ装着部１５に装着した状態で使用することにより、化粧水、香水等の各種液体を顔等の人体の任意の部位に対してハンドフリーで噴霧することができ、使用性が良好なスタンド付き噴霧器１となる。
【００３７】
また、本実施形態に係るスタンド付き噴霧器１は、エアブラシ装着部１５にエアブラシ１３を装着した場合に、当該装着部１５の内部に配設される突起１５５が、エアブラシ１３（エアブラシ本体１３１）の操作ボタン１３４を押圧する構成であるので、エアブラシ装着部１５にエアブラシ１３を装着した場合にあっては、エアブラシ１３の操作ボタン１３４を押圧した状態でハンドフリーで噴霧することが確実かつ効率的になされ、使用性が一段と優れるスタンド付き噴霧器１となる。
【００３８】
（IV）実施形態の変形：
なお、以上説明した態様は、本発明の一態様を示したものであって、本発明は、前記し
た実施形態に限定されるものではなく、本発明の構成を備え、目的及び効果を達成できる
範囲内での変形や改良が、本発明の内容に含まれるものであることはいうまでもない。ま
た、本発明を実施する際における具体的な構造及び形状等は、本発明の目的及び効果を達
成できる範囲内において、他の構造や形状等としても問題はない。本発明は前記した各実
施形態に限定されるものではなく、本発明の目的を達成できる範囲での変形や改良は、本
発明に含まれるものである。
【００３９】
例えば、前記した実施形態にあっては、本発明のスタンド付き噴霧器１を構成するエアブラシ１３（エアブラシ本体１３１）として、いわゆるシングルアクションのものを示したが、これには限定されず、ダブルアクション、トリガーアクション等といった公知の構成のものを採用するようにしてもよく、また、エアブラシ１３を装着するエアブラシ装着部１５の構成や形状も、エアブラシ１３の構成や形状等に応じて、適宜変更するようにすればよい。
【００４０】
加えて、前記した実施形態において、図１等に示した電動ポンプ１１、液体タンク１３３、スタンド１４を構成する台座１４１、支持部１４２等の形状も、あくまでも例示であり、本発明の目的及び奏する効果を妨げない範囲において任意の形状を選択するようにしても問題はない。
その他、本発明の実施の際の具体的な構造及び形状等は、本発明の目的を達成できる範
囲で他の構造等としてもよい。
【産業上の利用可能性】
【００４１】
本発明は、化粧水や香水等の液体をハンドフリーで噴霧できるスタンド付き噴霧器として、産業上の利用可能性を有し、有利に使用することができる。
【図面の簡単な説明】
【００４２】
【図１】本発明のスタンド付き噴霧器（エアブラシをエアブラシ装着部に装着した状態）の一態様を示した斜視図である。
【図２】本発明のスタンド付き噴霧器（エアブラシをエアブラシ装着部から取り外した状態）の一態様を示した斜視図である。
【図３】本実施形態に係るスタンド付き噴霧器を構成する電動ポンプを示した斜視図である。
【図４】本実施形態に係るスタンド付き噴霧器を構成する電動ポンプを示した左側面図である。
【図５】本実施形態に係るスタンド付き噴霧器を構成する電動ポンプを示した右側面図である。
【図６】本実施形態に係るスタンド付き噴霧器を構成するエアブラシを示した正面図である。
【図７】エアブラシ装着部をエアブラシの装着方向から見た図である。
【図８】エアブラシ装着部の内部構造を示した図である。
【図９】本実施形態のスタンド付き噴霧器の使用方法の一例を示した図であり、エアブラシをエアブラシ装着部に装着した状態で使用する方法を示した概略図である。
【図１０】本実施形態のスタンド付き噴霧器の使用方法の他の例を示した図であり、エアブラシをエアブラシ装着部から外し、手に持った状態で使用する方法を示した概略図である。
【符号の説明】
【００４３】
１  ……  スタンド付き噴霧器
１１  ……  電動ポンプ
１１１  ……  外装ケース
１１２  ……  操作部
１１３  ……  スイッチ
１１４  ……  表示ランプ
１１５  ……  接続部（電動ポンプの接続部）
１１６  ……  ジャック
１２  ……  エア搬送用チューブ
１２１  ……  接続部（電動ポンプと接続される接続部）
１２２  ……  接続部（エアブラシ本体と接続される接続部）
１３  ……  エアブラシ
１３１  ……  エアブラシ本体
１３２  ……  噴出孔
１３３  ……  液体タンク
１３４  ……  操作ボタン
１３５  ……  調整部
１３６  ……  エアバルブ
１３７  ……  接続部（エアブラシ本体の接続部）
１４  ……  スタンド
１４１  ……  台座
１４２  ……  支持部
１５  ……  エアブラシ装着部
１５１  ……  装着部本体
１５２  ……  切り欠き
１５３  ……  底部
１５４  ……  挿入穴
１５５  ……  突起
１５６  ……  蓋部
１５７  ……  コイルスプリング（弾性体）
Ｘ  ……  顔（人体の部位）
Ｙ  ……  手
【図１】
2010115590.tif 000003
【図２】
2010115590.tif 000004
【図３】
2010115590.tif 000005
【図４】
2010115590.tif 000006
【図５】
2010115590.tif 000007
【図６】
2010115590.tif 000008
【図７】
2010115590.tif 000009
【図８】
2010115590.tif 000010
【図９】
2010115590.tif 000011
【図１０】
2010115590.tif 000012